(57)【要約】【課題】緩衝材等を充填しなくても荷物を傷付けたり破損させたりすることがなく、荷物を容易に固定して搬送することができるとともに、搬送用の荷札等を付すことのできる荷物搬送用鞄を提供する。【解決手段】荷物搬送用鞄１は、内部に荷物８を収納し得る鞄本体２と、鞄本体２の表面に一端部が固定された、帯状の締付ベルト３と、締付ベルト３を折り返すことのできる折り返し用リング４と、締付ベルト３の他端部を着脱自在に固定する面ファスナ３１，３２と、鞄本体２の表面に設けられた荷札収納ポケット５とを備え、締付ベルト３を折り返し用リング４に向けて鞄本体２表面に這わせ、折り返し用リング４にて折り返した締付ベルト３の他端部を面ファスナ３１，３２にて固定したときに、締付ベルト３が荷札収納ポケット５に被らないように、締付ベルト３と折り返し用リング４と面ファスナ３１，３２と荷札収納ポケット５とが鞄本体２に設けられている。【選択図】図１
2008136654.tif 000002
【特許請求の範囲】
【請求項１】
内部に荷物を収納し得る鞄本体と、
前記鞄本体の表面に一端部が固定された、紐状又は帯状の締付部材と、
前記締付部材を折り返すことのできる折り返し用部材と、
前記締付部材の他端部を着脱自在に固定する固定部材と、
前記鞄本体の表面に設けられた荷札取付部と
を備え、
前記締付部材を前記折り返し用部材に向けて前記鞄本体表面に這わせ、前記折り返し用部材にて折り返した前記締付部材の他端部を前記固定部材にて固定したときに、前記締付部材が前記荷札取付部に被らないように、前記締付部材と前記折り返し用部材と前記固定部材と前記荷札取付部とが、前記鞄本体に設けられていることを特徴とする荷物搬送用鞄。
【請求項２】
前記締付部材の一端部が、前記鞄本体の側面の上部に固定されており、
前記折り返し用部材が、前記締付部材の一端部が固定されている前記鞄本体の側面の下部に設けられており、
前記鞄本体の側面の上部に固定されている前記締付部材の一端部と前記鞄本体の側面の下部に設けられている折り返し用部材との間に前記荷札取付部が設けられていることを特徴とする請求項１に記載の荷物搬送用鞄。
【請求項３】
前記鞄本体が、柔軟性を有する素材からなる略直方体形状を有しており、
前記鞄本体における一対の対向するそれぞれの側面には、硬弾性を有する板状部材が設けられていることを特徴とする請求項１又は２に記載の荷物搬送用鞄。
【請求項４】
前記鞄本体における前記一対の対向する側面相互間の幅が、調節可能となっていることを特徴とする請求項３に記載の荷物搬送用鞄。
【請求項５】
前記鞄本体における他の一対の対向する側面のそれぞれが、前記鞄本体の外側から見て谷折りに折曲可能になっていることを特徴とする請求項４に記載の荷物搬送用鞄。
【請求項６】
前記固定部材が、前記締付部材の他端部に設けられた第１の面ファスナと、前記締付部材における、前記第１の面ファスナと係合し得る位置に設けられた第２の面ファスナとからなることを特徴とする請求項１〜５のいずれかに記載の荷物搬送用鞄。
【請求項７】
前記折り返し用部材が、環状であり、
前記環状の折り返し用部材に挿通した前記締付部材を、前記折り返し用部材にて折り返すことができるようになっていることを特徴とする請求項１〜６のいずれかに記載の荷物搬送用鞄。
【請求項８】
少なくとも前記荷物搬送用鞄の上面部を開閉するファスナを備えることを特徴とする請求項１〜７のいずれかに記載の荷物搬送用鞄。
【請求項９】
前記ファスナに直交するようにして前記締付部材が設けられていることを特徴とする請求項８に記載の荷物搬送用鞄。
【請求項１０】
前記荷物搬送用鞄の上部に、取手が設けられていることを特徴とする請求項１〜９のいずれかに記載の荷物搬送用鞄。
【発明の詳細な説明】
【技術分野】
【０００１】
本発明は、荷物を収納して搬送することのできる荷物搬送用鞄に関する。
【背景技術】
【０００２】
従来、荷物を宅配便などで搬送する場合、段ボール製の箱などの搬送用容器に荷物を収納して、搬送していた。このような搬送用容器においては、搬送する荷物によって、荷物の大きさと搬送用容器の大きさとが合わず、荷物の大きさが搬送用容器の大きさよりも小さかったり、大きかったりすることがあった。
【０００３】
このような場合に、搬送用容器内に荷物を収納すると、搬送用容器と荷物との間に隙間が生じてしまうため、搬送中に搬送用容器内で荷物が移動し、荷物に傷が付いたり、荷物が破損したりすることがあった。そのため、搬送用容器と荷物との間に隙間が生じてしまう場合には、当該隙間に緩衝材等を充填することにより、荷物に傷が付いたり、荷物が破損したりするのを防止していた。
【発明の開示】
【発明が解決しようとする課題】
【０００４】
従来の搬送用容器は、上述したように、搬送中に荷物に傷がついたり、荷物が破損したりするのを防止するために、搬送用容器と荷物との間に生じる隙間に緩衝材等を充填する必要があり、面倒であった。しかもこの緩衝材等は、一般に搬送先において廃棄されてしまうことが多く、ゴミが発生してしまうという問題があった。
【０００５】
そのため、荷物を搬送する際に緩衝材等を充填することなく搬送中に荷物に傷が付いたり、荷物が破損したりするのを防止するためには、荷物を搬送する度に、搬送する荷物の大きさや形状などに合った搬送用容器を用意することが考えられるが、このようにすると、搬送用容器が汎用性に乏しいものとなるという問題があった。
【０００６】
このような問題に鑑みて、本発明は、緩衝材等を充填しなくても荷物を傷付けたり破損させたりすることがなく、荷物を容易に固定して搬送することができるとともに、搬送用の荷札等を付すことのできる荷物搬送用鞄を提供することを目的とする。
【課題を解決するための手段】
【０００７】
上記課題を解決するために、本発明は、内部に荷物を収納し得る鞄本体と、前記鞄本体の表面に一端部が固定された、紐状又は帯状の締付部材と、前記締付部材を折り返すことのできる折り返し用部材と、前記締付部材の他端部を着脱自在に固定する固定部材と、前記鞄本体の表面に設けられた荷札取付部とを備え、前記締付部材を前記折り返し用部材に向けて前記鞄本体表面に這わせ、前記折り返し用部材にて折り返した前記締付部材の他端部を前記固定部材にて固定したときに、前記締付部材が前記荷札取付部に被らないように、前記締付部材と前記折り返し用部材と前記固定部材と前記荷札取付部とが、前記鞄本体に設けられていることを特徴とする荷物搬送用鞄を提供する（請求項１）。
【０００８】
上記発明（請求項１）によれば、締付部材により鞄本体を締め付け、固定部材により当該締付部材を固定することで、鞄本体の大きさと荷物の大きさとが合わないときでも、鞄本体内に収納した荷物と鞄本体との間に隙間が生じることなく荷物をしっかりと固定することができるため、搬送中に荷物が鞄本体内で移動することがなく、荷物を傷付けたり破損させたりすることなく搬送することができる。また、鞄本体に設けられた締付部材を折り返し部材により折り返すことで、荷札取付部に締付部材が被らないようにして締付部材を固定することができ、荷札取付部に取り付けられた荷札に記載された配送先等を確実に視認することができる。
【０００９】
上記発明（請求項１）においては、前記締付部材の一端部が、前記鞄本体の側面の上部に固定されており、前記折り返し用部材が、前記締付部材の一端部が固定されている前記鞄本体の側面の下部に設けられており、前記鞄本体の側面の上部に固定されている前記締付部材の一端部と前記鞄本体の側面の下部に設けられている折り返し用部材との間に前記荷札取付部が設けられていることが好ましい（請求項２）。
【００１０】
上記発明（請求項２）によれば、荷札取付部に取り付けられた荷札上に締付部材が被ることがないため、宅配便等による荷物の搬送に必要な荷札に記載された配送先等を確実に視認することができる。
【００１１】
上記発明（請求項１，２）においては、前記鞄本体が、柔軟性を有する素材からなる略直方体形状を有しており、前記鞄本体における一対の対向するそれぞれの側面には、硬弾性を有する板状部材が設けられていることが好ましい（請求項３）。
【００１２】
上記発明（請求項３）によれば、鞄本体が柔軟性を有する素材からなることで、締付部材にて締め付けた場合に、鞄本体の形状が荷物の表面形状に沿って変化し、鞄本体と荷物との間に隙間がほとんど生じることがない。また、鞄本体における一対の対向する側面のそれぞれに硬弾性を有する板状部材が設けられていることで、かかる板状部材により荷物が挟まれ、荷物をしっかりと固定することができるとともに、板状部材が硬弾性を有することにより、鞄本体に外力が加わったとしても、その外力により板状部材が変形するため、鞄本体内の荷物を保護することができる。
【００１３】
上記発明（請求項３）においては、前記鞄本体における前記一対の対向する側面相互間の幅が、調節可能となっていることが好ましい（請求項４）。かかる発明（請求項４）によれば、一対の対向する側面相互間の幅が調節可能となっているため、荷物の大きさにかかわらず、荷物をしっかりと固定することができる。
【００１４】
上記発明（請求項４）においては、前記鞄本体における他の一対の対向する側面のそれぞれが、前記鞄本体の外側から見て谷折りに折曲可能になっていることが好ましい（請求項５）。
【００１５】
上記発明（請求項５）によれば、他の一対の側面のそれぞれが、鞄本体の外側から見て谷折りに折曲可能になっていることで、締付部材にて鞄本体を締め付けたときに、鞄本体の他の一対の側面のそれぞれが鞄本体の外側から見て谷折りに折り曲がり、鞄本体と荷物との間にほとんど隙間が生じないため、鞄本体内の荷物をしっかりと固定することができる。これにより、搬送中に荷物が鞄本体内で移動することなく、荷物を傷つけたり破損させたりするのを防止することができる。
【００１６】
上記発明（請求項１〜５）においては、前記固定部材が、前記締付部材の他端部に設けられた第１の面ファスナと、前記締付部材における、前記第１の面ファスナと係合し得る位置に設けられた第２の面ファスナとからなることが好ましい（請求項６）。
【００１７】
上記発明（請求項６）によれば、締付部材の他端部に設けられた第１の面ファスナを第２の面ファスナに係合することで締付部材の他端部を固定することができるため、鞄本体を締め付けた状態で維持することができ、鞄本体内の荷物を固定することができる。
【００１８】
上記発明（請求項１〜６）においては、前記折り返し用部材が、環状であり、前記環状の折り返し用部材に挿通した前記締付部材を、前記折り返し用部材にて折り返すことができるようになっていることが好ましい（請求項７）。
【００１９】
上記発明（請求項７）によれば、環状の折り返し用部材に締付部材を挿通して折り返し、折り返し用部材が設けられている側面に対向する側面に向かって締付部材を引っ張るだけで、容易に鞄本体を締め付けることができる。
【００２０】
上記発明（請求項１〜７）においては、少なくとも前記荷物搬送用鞄の上面部を開閉するファスナを備えることが好ましく（請求項８）、かかる発明（請求項８）においては、前記ファスナに直交するようにして前記締付部材が設けられていることが好ましい（請求項９）。
【００２１】
上記発明（請求項１〜９）においては、前記荷物搬送用鞄の上部に、取手が設けられていることが好ましい（請求項１０）。かかる発明（請求項１０）によれば、荷物搬送用鞄を持ち運びに便利なものとすることができる。
【発明の効果】
【００２２】
本発明の荷物搬送用鞄によれば、緩衝材等を充填しなくても荷物を傷付けたり破損させたりすることがなく、荷物を容易に固定して搬送することができるとともに、搬送用の荷札を付すことができる。
【発明を実施するための最良の形態】
【００２３】
本発明の一実施形態に係る荷物搬送用鞄について、図面に基づいて説明する。図１（Ａ），（Ｂ）は、本実施形態に係る荷物搬送用鞄を示す斜視図であり、図２は、図１（Ａ）におけるＡ−Ａ線断面図であり、図３（Ａ）〜（Ｃ）及び図４（Ａ）〜（Ｃ）は、本実施形態に係る荷物搬送用鞄の使用状態を示す断面図である。
【００２４】
図１に示すように、本実施形態に係る荷物搬送用鞄１は、上面部２１、底面部２２、前面側側面部２３、後面側側面部２４、右側側面部２５及び左側側面部２６を有する略直方体状をなす鞄本体２と、鞄本体２の前面側側面部２３の上部略中央に一端部が設けられた締付ベルト３と、鞄本体２の前面側側面部２３の下部略中央に設けられた折り返し用リング４と、鞄本体２の前面側側面部２３の略中央に設けられた荷札収納ポケット５と、鞄本体２の上面部２１に設けられたファスナ６と、鞄本体２の前面側側面部２３及び後面側側面部２４のそれぞれに設けられた取手７，７とを備える。
【００２５】
鞄本体２は、その上面部２１、底面部２２、前面側側面部２３、後面側側面部２４、右側側面部２５及び左側側面部２６のそれぞれが柔軟性を有する素材により構成されている。このような素材としては、例えば、帆布等の布素材、天然皮革や人工皮革等の革素材、ビニール素材等が挙げられるが、これらに限定されるものではない。
【００２６】
図２に示すように、鞄本体２の前面側側面部２３及び後面側側面部２４は、柔軟性を有する素材による二重構造に形成されており、当該二重構造の内側に、硬弾性を有する前面ボード２３Ａ及び後面ボード２４Ａのそれぞれが内包され、縫合されてなる。前面ボード２３Ａ及び後面ボード２４Ａとしては、硬弾性を有するプラスチックボード、厚紙等を使用するのが好ましい。前面ボード２３Ａ及び後面ボード２４Ａが硬弾性を有することで、前面ボード２３Ａ及び後面ボード２４Ａに荷物８が挟まれ、荷物８をしっかりと固定することができるとともに、鞄本体２に外力が加わったとしても、前面ボード２３Ａ及び後面ボード２４Ａが変形し、荷物８を傷付けたり損傷させたりするのを防止し、荷物８を保護することができる。
【００２７】
鞄本体２の底面部２２、右側側面部２５及び左側側面部２６のそれぞれは、鞄本体２の外側から見て谷折りに折曲し得るようになっている。また、鞄本体２の上面部２１は、ファスナ６を折曲線として鞄本体２の外側から見て谷折りに折曲し得るようになっている。これにより、鞄本体２の前面側側面部２３と後面側側面部２４との相互間の幅を調節することができる。
【００２８】
締付ベルト３は、柔軟性を有する素材からなる帯状の部材として構成されており、このような素材としては、鞄本体２を構成する素材と同様のものを用いることができる。締付ベルト３の一端部は、鞄本体２の前面側側面部２３の上部略中央に縫合されることにより取り付けられている。
【００２９】
締付ベルト３の他端部には、第１の面ファスナ（雄型面ファスナ）３１が設けられており、締付ベルト３を折り返し用リング４にて折り返して後面側側面部２４に向かって引っ張ったときに締付ベルト３の他端部が位置する締付ベルト３上に、第２の面ファスナ（雌型面ファスナ）３２が設けられている。
【００３０】
折り返し用リング４は、略方形状の金属製の環状部材であり、鞄本体２の前面側側面部２３の下部略中央に、折り返し用リング４の上部が固定されるようにして取り付けられている。
【００３１】
鞄本体２の前面側側面部２３の略中央には、宅配便等における配送先が記載される荷札を収納し得る大きさの略方形状の荷札収納ポケット５が設けられている。略方形状の荷札収納ポケット５は、周縁の４辺のうちの右部の１辺を除く３辺が鞄本体２の前面側側面部２３に固着されており、荷札収納ポケット５の右部から荷札を収納することができる。
【００３２】
荷札収納ポケット５は、荷札収納ポケット５内に荷札を収納したときに、荷札に記載されている配送先等を視認し得るように、透明又は半透明の部材（例えば、ビニール素材からなる部材等）により構成されている。
【００３３】
ファスナ６は、鞄本体２の左側側面部２６の上部から上面部２１の長手方向に延伸するようにして右側側面部２５の上部まで連続して設けられている。このファスナ６を開閉することにより、鞄本体２の上面部２１と、右側側面部２５の上部及び左側側面部２６の上部とを開閉することができる。また、ファスナ６を開放することで、鞄本体２に開口部を形成することができ、その開口部から鞄本体２内に荷物を収納することができるようになっている。
【００３４】
鞄本体２の前面側側面部２３の上部及び後面側側面部２４の上部には、それぞれ一対の取手７，７が縫合されることにより設けられている。これにより、荷物搬送用鞄２を、持ち運びに便利なものとすることができる。
【００３５】
このような構成を有する荷物搬送用鞄２において、ファスナ６を開放した鞄本体２内に荷物８を収納し、ファスナ６を閉じる。図３（Ａ）に示すように、荷物８の幅が鞄本体２の前面側側面部２３及び後面側側面部２４の相互間の幅よりも小さい場合、鞄本体２内において荷物８と鞄本体２の内壁との間に隙間が生じる。
【００３６】
図３（Ｂ）に示すように、締付ベルト３を上面部２１、後面側側面部２４及び底面部２２に這わせ、その締付ベルト３を折り返し用リング４に前面側側面部２３側から外側に向かって挿通して折り返す。これにより、締付ベルト３が荷札収納ポケット５に被ることがなく、荷札収納ポケット５に収納された荷札を確実に視認することができる。
【００３７】
そして、図３（Ｃ）に示すように、締付ベルト３を底面部２２に這わせて後面側側面部２４側に引っ張り、締付ベルト３が緩まないようにして締付ベルト３に設けられている第１の面ファスナ３１と第２の面ファスナ３２とを鞄本体２の後面側側面部２４にて係合させる。これにより、上面部２１、底面部２２、右側側面部２５及び左側側面部２６が鞄本体２の外側から見て谷折りに折曲し、鞄本体２の前面側側面部２３と後面側側面部２４との相互間の幅が狭まり、荷物８を鞄本体２の前面側側面部２３と後面側側面部２４とで挟み込むことができるとともに、谷折りに折曲した上面部２１、底面部２２、右側側面部２５及び左側側面部２６が荷物８に当接する。このようにすることで、締付ベルト３が緩むことなく、荷物８を鞄本体２内に隙間なく固定することができる。
【００３８】
一方、図４（Ａ）に示すように、荷物８の幅が鞄本体２の前面側側面部２３及び後面側側面部２４の相互間の幅よりも大きい場合、荷物８を鞄本体２内に収納すると、鞄本体２内において荷物８の側面部が鞄本体２の前面側側面部２３及び後面側側面部２４を圧迫する。
【００３９】
ファスナ６を閉じると、図４（Ｂ）に示すように、鞄本体２の前面側側面部２３及び後面側側面部２４に設けられている前面ボード２３Ａ及び後面ボード２４Ａは硬弾性を有しているため、前面ボード２３Ａ及び後面ボード２４Ａが鞄本体２の内側に向かって湾曲する。
【００４０】
そして、締付ベルト３を上面部２１、後面側側面部２４及び底面部２２に這わせて、折り返し用リング４に前面側側面部２３側から外側に向かって挿通して折り返し、底面部２２に這わせて後面側側面部２４側に引っ張る。これにより、湾曲した前面ボード２３Ａ及び後面ボード２４Ａが、荷物８の形状に沿った形状にさらに湾曲するとともに、上面部２１、底面部２２、右側側面部２５及び左側側面部２６が鞄本体２の外側から見て谷折りに折曲し、谷折りに折曲した上面部２１、底面部２２、右側側面部２５及び左側側面部２６が荷物８に当接する。
【００４１】
図４（Ｃ）に示すように、締付ベルト３に設けられている第１の面ファスナ３１と第２の面ファスナ３２とを鞄本体２の後面側側面部２４にて係合させる。これにより、締付ベルト３が緩むことなく、荷物８を鞄本体２内に隙間なく固定することができる。
【００４２】
このように、本実施形態に係る荷物搬送用鞄１によれば、荷物８を鞄本体２内に収納して締付ベルト３にて締め付けることにより、荷物８が鞄本体２内に隙間なく固定することができ、搬送中に鞄本体２内で荷物８が移動してしまうことにより、荷物８を傷付けたり破損させたりすることを防止することができる。また、締付ベルト３を折り返し用リング４にて折り返すことにより、荷札収納ポケット５に収納された荷札に締付ベルト３が被ることがなく、荷札収納ポケット５に収納された荷札を確実に視認することができる。
【００４３】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００４４】
上記実施形態において、締付ベルト３は、帯状の部材として構成されているが、鞄本体２を締め付けることのできるものであれば特に限定されるものではなく、例えば、紐状の部材であってもよい。
【００４５】
また、上記実施形態において、締付ベルト３が前面側側面部２３の上部略中央に設けられ、折り返し用リング４が前面側側面部２３の下部略中央に設けられているが、締付ベルト３が前面側側面部２３の左部略中央（又は右部略中央）に設けられ、折り返し用リング４が前面側側面部２３の右部略中央（又は左部略中央）に設けられていてもよいし、２つの締付ベルト３が後面側側面部２４上にて直交するように設けられていてもよい。２つの締付ベルト３が後面側側面部２４上にて直交するように設けられていることで、荷物搬送用鞄１内に収納された荷物８をより強固に固定することができ、搬送中に荷物８を傷付けたり破損させたりすることをより防止することができる。
【００４６】
さらに、上記実施形態において、折り返し用リング４は、環状部材として構成されているが、締付ベルト３を折り返すことのできるものであれば特に限定されるものではなく、例えば、略Ｕ字状又は略コの字状の折り返し用部材であってもよい。この場合、略Ｕ字状又は略コの字状の折り返し用部材の両端部を、屈曲部が下方に向かうようにして鞄本体２の前面側側面部２３の下部に取り付け、略Ｕ字状又は略コの字状の屈曲部に締付ベルト３を引っ掛けて折り返すようにすればよい。
【００４７】
さらにまた、上記実施形態において、荷札収納ポケット５は、荷札を収納し得るものとして構成されているが、これに限定されるものではなく、例えば、荷札を貼付するスペース（領域）として構成されていてもよい。
【図面の簡単な説明】
【００４８】
【図１】本発明の一実施形態に係る荷物搬送用鞄を示す斜視図であり、（Ａ）は前面側側面部側から見た斜視図であり、（Ｂ）は後面側側面部側から見た斜視図である。
【図２】図１（Ａ）におけるＡ−Ａ線断面図である。
【図３】本発明の一実施形態に係る荷物搬送用鞄の一の使用状態を示す断面図である。
【図４】本発明の一実施形態に係る荷物搬送用鞄の他の使用状態を示す断面図である。
【符号の説明】
【００４９】
１…荷物搬送用鞄
２…鞄本体
２１…上面部
２２…底面部
２３…前面側側面部
２３Ａ…前面ボード
２４…後面側側面部
２４Ａ…後面ボード
２５…右側側面部
２６…左側側面部
３…締付ベルト
３１…第１の面ファスナ
３２…第２の面ファスナ
４…折り返し用リング
５…荷札収納ポケット
６…ファスナ
７…取手
【図１】
2008136654.tif 000003
【図２】
2008136654.tif 000004
【図３】
2008136654.tif 000005
【図４】
2008136654.tif 000006